(57)【要約】  ここに開示された本発明の実施形態は、概して、ケーブル・ハブ装置に関する。ケーブル・ハブ装置は、患者についての生理学的データを患者監視デバイスに伝達するように構成される。ケーブル・ハブ装置は、患者についてのアナログ生理学的センサデータを受信するように構成された複数のアナログ・センサ・コネクタと、患者についてのデジタル生理学的センサデータを受信するように構成された複数のデジタル・センサ・コネクタと、受信された生理学的センサデータの収集を制御するコントローラと、単一のケーブルを通して、受信された生理学的センサデータを患者監視デバイスに伝達するように構成されたデジタル・インタフェースと、を含む。
2019503724.tif 000002
【特許請求の範囲】
【請求項１】
患者についての生理学的データを患者監視デバイスに伝達するように構成されたケーブル・ハブ装置であって、
前記患者についてのアナログ生理学的センサデータを受信するように構成された複数のアナログ・センサ・コネクタと、
前記患者についてのデジタル生理学的センサデータを受信するように構成された複数のデジタル・センサ・コネクタと、
前記受信された生理学的センサデータの収集を制御するコントローラと、
単一のケーブルを通して、前記受信された生理学的センサデータを前記患者監視デバイスに伝達するように構成されたデジタル・インタフェースと、を備えるケーブル・ハブ装置。
【請求項２】
前記単一のケーブルは、前記患者監視デバイスから前記ケーブル・ハブ装置に電力を供給する、請求項１に記載のケーブル・ハブ装置。
【請求項３】
１つまたは複数の患者監視デバイスの間で患者関連データおよびセンサ関連データの転送を容易にするために、前記患者関連データおよび前記センサ関連データを記憶するメモリをさらに備える、請求項１に記載のケーブル・ハブ装置。
【請求項４】
前記複数のデジタル・センサ・コネクタのうちの少なくとも１つは、患者関連データおよびセンサ関連データを記憶することが可能なスマートケーブルを通してセンサに接続される、請求項３に記載のケーブル・ハブ装置。
【請求項５】
前記メモリは、前記スマートケーブル内に記憶された患者関連データおよびセンサ関連データのバッファとして動作する、請求項４に記載のケーブル・ハブ装置。
【請求項６】
前記メモリは、前記スマートケーブル内に記憶された患者関連データおよびセンサ関連データのバックアップとして動作する、請求項４に記載のケーブル・ハブ装置。
【請求項７】
ゼロ合わせ機能を実現するために、前記複数のアナログ・センサ・コネクタのための複数のゼロ合わせボタンをさらに備える、請求項１に記載のケーブル・ハブ装置。
【請求項８】
前記ケーブル・ハブ装置のハウジングは、ほぼ長方形の形状である、請求項１に記載のケーブル・ハブ装置。
【請求項９】
前記複数のアナログ・センサ・コネクタは、使い捨て圧力トランスデューサ(DPT)のためのコネクタである、請求項１に記載のケーブル・ハブ装置。
【請求項１０】
複数のDPTホルダーと、
構成可能なポールクランプと、
をさらに備える、請求項９に記載のケーブル・ハブ装置。
【請求項１１】
前記複数のアナログ・センサ・コネクタは、使い捨て圧力トランスデューサ(DPT)のための複数のコネクタおよびハート・リファレンス・センサ(HRS)のためのコネクタを含む、請求項１に記載のケーブル・ハブ装置。
【請求項１２】
生理学的センサデータを患者監視デバイスに送信するように構成されたシステムであって、
１つまたは複数のアナログ・センサと、
１つまたは複数のデジタル・センサと、
前記アナログ・センサからアナログ生理学的センサデータを受信するように構成された複数のアナログ・センサ・コネクタ、前記デジタル・センサからデジタル生理学的センサデータを受信するように構成された複数のデジタル・センサ・コネクタ、および単一のケーブルを通して前記受信された生理学的センサデータを前記患者監視デバイスに伝達するように構成されたデジタル・インタフェースを備えるケーブル・ハブ装置と、を備えるシステム。
【請求項１３】
前記単一のケーブルは、前記患者監視デバイスから前記ケーブル・ハブ装置に電力を供給する、請求項１２に記載のシステム。
【請求項１４】
前記ケーブル・ハブ装置は、１つまたは複数の患者監視デバイスの間で患者関連データおよびセンサ関連データの転送を容易にするために、前記患者関連データおよび前記センサ関連データを記憶するメモリをさらに備える、請求項１２に記載のシステム。
【請求項１５】
前記複数のデジタル・センサ・コネクタのうちの少なくとも１つは、患者関連データおよびセンサ関連データを記憶することが可能なスマートケーブルを通して前記デジタル・センサのうちの１つに接続される、請求項１２に記載のシステム。
【請求項１６】
前記ケーブル・ハブ装置は、ゼロ合わせ機能を実現するために、前記複数のアナログ・センサ・コネクタのための複数のゼロ合わせボタンをさらに備える、請求項１２に記載のシステム。
【請求項１７】
生理学的センサデータを患者監視デバイスに送信するための方法であって、
ケーブル・ハブ装置の複数のアナログ・センサ・コネクタにおいて、アナログ生理学的センサデータを受信するステップと、
前記ケーブル・ハブ装置の複数のデジタル・センサ・コネクタにおいて、デジタル生理学的センサデータを受信するステップと、
前記ケーブル・ハブ装置において、前記アナログ生理学的センサデータをデジタル化されたアナログ生理学的センサデータに変換するステップと、
前記ケーブル・ハブ装置において、前記デジタル生理学的センサデータおよび前記デジタル化されたアナログ生理学的センサデータを結合されたデジタルデータに結合するステップと、
前記結合されたデジタルデータを前記ケーブル・ハブ装置から単一のケーブルを通して前記患者監視デバイスに送信するステップと、を備える方法。
【請求項１８】
前記単一のケーブルは、前記患者監視デバイスから前記ケーブル・ハブ装置に電力を供給する、請求項１７に記載の方法。
【請求項１９】
１つまたは複数の患者監視デバイスの間で患者関連データおよびセンサ関連データの転送を容易にするために、前記ケーブル・ハブ装置のメモリにおいて、患者関連データおよびセンサ関連データを記憶するステップをさらに備える、請求項１７に記載の方法。
【請求項２０】
前記ケーブル・ハブ装置のゼロ合わせボタンにおいて、前記複数のアナログ・センサ・コネクタのうちの１つのためにゼロ合わせ機能を実行するステップをさらに備える、請求項１７に記載の方法。
【発明の詳細な説明】
【技術分野】
【０００１】
本発明は、患者についての生理学的データを患者監視デバイスに伝達するように構成されたケーブル・ハブ装置に関する。
【背景技術】
【０００２】
図１Ａを参照すると、医療環境の例が表わされている。図１Ａは、手術室内の生理学的監視およびIV管理のための医療装置の知られた構成100を表わす。独立型のIVポール105が提供される。監視デバイス110、接続付属品115、およびIVバッグ120がIVポール105に固定される。固定AC電源に接続された電源ユニット125は、監視デバイス110および接続付属品115に電力を供給するために利用される。１つまたは複数のセンサ・ケーブル130は、一端で患者に取り付けられた生理学的センサに、他端で接続付属品115に接続される。１つまたは複数のケーブルは、監視デバイス110を接続付属品115に接続してセンサ関連情報の転送を可能にする。患者ベッドの他の側に麻酔装置135がある。追加ケーブル133は、麻酔装置135を接続付属品115に接続して麻酔装置135がセンサ関連情報を利用することを可能にする。
【０００３】
この知られた構成にはいくつかの欠点があり、すなわち、図１Ａにおいて見ることができるように、接続付属品115の周りにケーブルの混乱がある。さらに、患者を異なる場所に(例えば、緊急治療室(ER)から集中治療病棟(ICU)に)搬送することは、接続付属品115と麻酔装置135の間のケーブル133を分離および再接続することに加えて、電源ユニット125も搬送の前に分離され、搬送の後に再接続される必要があるので、不便である。もちろん、監視デバイス110が患者と一緒に搬送されないならば、さらに多くのケーブルが分離および再接続されることが必要であり得る。
【０００４】
これらの欠点に取り組むために、以下で説明される本発明の実施形態は、患者ケーブル・コネクタ／インタフェースを有するケーブル・ハブ装置を含む簡素化された構成を利用する。
【発明の概要】
【課題を解決するための手段】
【０００５】
ここで開示される本発明の実施形態は、概して、ケーブル・ハブ装置に関する。ケーブル・ハブ装置は、患者についての生理学的データを患者監視デバイスに伝達するように構成される。ケーブル・ハブ装置は、患者についてのアナログ生理学的センサデータを受信するように構成された複数のアナログ・センサ・コネクタ、患者についてのデジタル生理学的センサデータを受信するように構成された複数のデジタル・センサ・コネクタ、受信された生理学的センサデータの収集を制御するコントローラ、および受信された生理学的センサデータを単一のケーブルを通して患者監視デバイスに伝達するように構成されたデジタル・インタフェースを含む。
【図面の簡単な説明】
【０００６】
【図１Ａ】手術室内の生理学的監視およびIV管理のための医療装置の知られた構成を表わす。
【図１Ｂ】本発明の一実施形態による、患者ケーブル・コネクタ／インタフェースを有するケーブル・ハブ装置を含む、手術室内の生理学的監視およびIV管理のための医療装置の改善された構成を表わす。
【図２Ａ】本発明の一実施形態による、例示のケーブル・ハブ装置の斜視図である。
【図２Ｂ】本発明の一実施形態による、例示のケーブル・ハブ装置のもう１つの斜視図である。
【図３】本発明の一実施形態による、ケーブル・ハブ装置のための例示のハードウェア・アーキテクチャを図示する図である。
【発明を実施するための形態】
【０００７】
本発明の実施形態は、概して、システム、患者監視デバイス、およびケーブル・ハブ装置に関する。特に、ケーブル・ハブ装置は、患者についての生理学的データを患者監視デバイスに伝達するように構成される。ケーブル・ハブ装置は、患者についてのアナログ生理学的センサデータを受信するように構成された複数のアナログ・センサ・コネクタ、患者についてのデジタル生理学的センサデータを受信するように構成された複数のデジタル・センサ・コネクタ、受信された生理学的センサデータの収集を制御するコントローラ、および受信された生理学的センサデータを単一のケーブルを通して患者監視デバイスに伝達するように構成されたデジタル・インタフェースを備え得る。
【０００８】
図１Ｂは、ここで説明される、患者ケーブル・コネクタ／インタフェースを有するケーブル・ハブ装置160を含む、手術室内の生理学的監視およびIV管理のための医療装置の改善された構成101を表わす。IVポール150は、患者ベッドの一部として固定して留められ、または提供され得る。いくつかの実施形態において、IVポール150は、患者ベッドから離れた独立型のユニットであり得る。IVバッグ155は、IVポール150に取り付けられ得る。ケーブル・ハブ装置160は、IPポール150に提供され、固定され得る。１つまたは複数のセンサ・ケーブル180は、一端で患者に取り付けられた生理学的センサ(例えば、アナログまたはデジタル生理学的センサ)に、他端でケーブル・ハブ装置160に接続され得る。患者ベッドの他の側において、監視デバイス165は、麻酔装置170に固定され得る。監視デバイス165は、単一の共通インタフェース・ケーブル175を介してケーブル・ハブ装置160に接続されることが可能であり、単一の共通インタフェース・ケーブル175を介してケーブル・ハブ装置160に電力を供給する。言い換えると、共通インタフェース・ケーブル175は、生理学的センサ関連データおよび他のデータを電力とともに伝送し得る。さらに、いくつかの実施形態において、電力は、また、ケーブル・ハブ装置160を通して生理学的センサに提供され得る。監視デバイス165は、麻酔装置170に接続されて、ケーブル・ハブ装置160から受信されたセンサ関連情報を渡すことが可能であり、それによって麻酔装置170はセンサ関連情報を利用することが可能である。
【０００９】
患者ベッド内の患者が搬送されるとき、共通インタフェース・ケーブル175のみが分離される必要がある。センサ・ケーブル180とともに、IVポール150およびそこに取り付けられたIVバッグ155およびケーブル・ハブ装置160を含む対象物は、患者と一緒に容易に搬送され得る。IVポール150が患者ベッドの一部として固定して留められ、または提供されるので、IVポール150を動かすために余計な努力は要求されない。一旦、患者ベッド内の患者が目的の場所に(例えば、ERからICUへ)到達すると、全ての生理学的センサは、目的の場所の監視デバイス165が単一の共通インタフェース・ケーブル175を用いてケーブル・ハブ装置160に接続された後、動作を再開し得る。
【００１０】
図２Ａおよび２Ｂを参照すると、例示のケーブル・ハブ装置160の斜視図の図示が表されている。見ることができるように、ケーブル・ハブ装置160の外部ハウジング161は、６つの側面を含む、ほぼ直方体形状であり得る。外部ハウジング161の第１の側面210(図２Ａおよび２Ｂに表わされた前面)において、１つまたは複数のセンサ・ホルダー215が提供され得る。センサ・ホルダー215に配置され得るセンサは、例えば、使い捨て圧力トランスデューサ(DPT)を含み得る。一例において、DPTのような４個の圧力センサを保持するために、４個のセンサ・ホルダー215が提供され得る。例として、４個のDPTは、それぞれ、肺動脈圧(PAP)、中心静脈圧(CVP)、動脈圧(AP)の測定のためのもの、および静動脈血液管理保護(VAMP)システムとともに使用するためものであり得る。これらは単に例であり、あらゆる種類の搭載可能なセンサが利用され得ることが認識されるべきである。さらに、センサ・ホルダー215は取り外し可能であり得る。センサ・ホルダー215に加えて、１つまたは複数のDPTの接続／動作状態を示すための１つまたは複数のLEDインジケータ220が第１の側面210において提供され得る。一例において、以下でより詳細に説明されるように、第１の側面210において３個のLEDインジケータ220が存在することが可能であり、各々は１つのDPTに対応する。
【００１１】
外部ハウジング161の第２の側面225(図２Ａおよび２Ｂに表わされた上の側面)において、１つまたは複数の押しボタン230が提供され得る。押しボタン230は、生理学的センサ関連機能を制御する押しボタンスイッチの一部であり得る。例えば、押しボタン230のうちの１つは、押されたとき、接続されたDPTをゼロ合わせするゼロ合わせボタンであり得る。圧力ゼロ合わせは、いくつかの監視デバイスがDPTのような圧力センサデバイスからの圧力信号を気圧にゼロ合わせするために利用され得る。ゼロ合わせは、典型的に、圧力測定の前に行われ、一般に、圧力センサデバイスの位置が変更されたとき繰り返される。押しボタン230のうちのもう１つは、押されたとき、アクティブなアラームを消音するアラーム消音ボタンであり得る。押しボタン230が押されたとき、対応する信号がケーブル・ハブ装置160から単一の共通インタフェース・ケーブル175を介して監視デバイス165に送信される。例えば、ゼロ合わせ、および／または、アラーム消音に関する信号が送信され得る。一例において、図２Ａに表わされたように、４個の押しボタン230が第２の側面225において提供されることが可能であり、その中で３個(例えば、最も左)はそれぞれ３個のDPTのためのゼロ合わせボタンであることが可能であり、第４のボタン(例えば、最も右)はアラーム消音ボタンであることが可能である。
【００１２】
外部ハウジング161の第３の側面235(図２Ｂに表わされた下の側面)において、アナログ生理学的センサがケーブルを介して接続され得る１つまたは複数のアナログ・センサ・コネクタ／インタフェース240が提供される。このようにして、アナログ・センサ・コネクタ／インタフェース240は、ケーブルを介して患者に結合されたアナログ生理学的センサから患者についてのアナログ生理学的センサデータを受信し得る。アナログ生理学的センサは、例えば、DPTのような圧力センサであり得る。一例において、３個のアナログ・センサ・コネクタ240は、第３の側面235において提供され得る。１つの特定の例において、３個のアナログ・センサ・コネクタ240は、３個のDPTインタフェース・コネクタであり得る。例えば、前述したように、DPTは、センサ・ホルダー215に搭載され、ケーブルを介してDPTコネクタ240に接続され得る。さらに、ケーブル・ハブ装置160は、第３の側面235を通して患者監視デバイス165への単一の共通インタフェース・ケーブル175に取り付けられ得る。
【００１３】
例えば、共通インタフェース・ケーブル175は、ケーブル・ハブ装置160に取り付けられ得る。共通インタフェース・ケーブル175が取り外し可能に取り付けられるならば、共通インタフェース・ケーブル175のための共通インタフェース・コネクタは、第３の側面235において提供され得る。さらに、共通インタフェース・ケーブル／コネクタは、以下でより詳細に説明されるように、ケーブル・ハブ装置160のハードウェア・アーキテクチャの共通インタフェースに電気的に接続される。
【００１４】
以下でより詳細に説明されるように、共通インタフェース・ケーブル175は、監視デバイス165からの電力をケーブル・ハブ装置160、そしてケーブル・ハブ装置160に接続された生理学的センサに供給するとともに、複数のセンサ(例えば、アナログ生理学的センサおよびデジタル生理学的センサの両方)についてのセンサ関連データを監視デバイス165に伝送し得る。さらに、以下で説明されるように、共通インタフェース・ケーブル175は、また、ヒーターを含む生理学的センサによって要求され得るヒーター信号を伝送し得る。
【００１５】
外部ハウジング161の第４の側面245(図２Ａおよび２Ｂに表わされた左の側面)において、デジタル信号を出力するデジタル生理学的センサがケーブルを介して接続され得る１つまたは複数のデジタル・センサ・コネクタ／インタフェース250(例えば、３個のデジタル・センサ・コネクタ／インタフェース)が提供され得る。このようにして、デジタル・センサ・コネクタ／インタフェース250は、ケーブルを介して患者に結合されたデジタル生理学的センサから患者についてのデジタル生理学的センサデータを受信し得る。デジタル信号を出力する生理学的センサは、例えば、心臓出力センサ、酸素濃度計、温度センサ、等であり得る。
【００１６】
前に説明された生理学的センサは、アナログでもデジタルでもよく、侵襲性でも非侵襲性でもよいことが認識されるべきである。センサデバイスの例は、心臓測定、血液測定、化学測定、血流力学測定、呼吸測定、電気測定、頭蓋内圧力測定、等のような患者の生理学的データを測定するために使用され得る、圧力センサ、温度センサ、イメージセンサ、光センサ、電気センサ、磁気センサ、流れセンサ、バイオセンサ、加速度センサ、等を含み得る。生理学的センサデバイスは、あらゆる種類の医療センサデバイスであり得ることが認識されるべきである。
【００１７】
一実施形態において、デジタル信号を出力する生理学的センサは、スマートケーブルまたはポータブルケーブルを通してケーブル・ハブ装置160に接続され得る。以下、スマートケーブルまたはポータブルケーブルは、データを記憶するとともにデジタル信号を伝送するケーブルを指す。スマートケーブルは、例えば、患者人口統計データ、生理学測定データ、および／またはセンサ寿命データ(センサの残りの寿命に関するデータ)、等を記憶し得る。一実施形態において、スマートケーブルは、患者関連データおよびセンサ関連データ(例えば、生理学的センサデータ)を送信および記憶し得る。もちろん、スマートケーブルを介した接続は、デジタル・センサ・コネクタ250について要求されない。
【００１８】
図２Ａおよび２Ｂに表わされた実施形態は、また、第４の側面245におけるハート・リファレンス・センサ(HRS)接続のために適合されたアナログ・センサ・コネクタ255を含む。HRSは、患者の静脈静止軸に対するDPTの動きに関する使用誤りを減少させ得る。
【００１９】
外部ハウジング161の第５の側面(後ろの側面、表わされていない)において、ケーブル・ハブ装置160をベッド柵またはIVポールに固定するための留める機構が提供され得る。留める機構は、例えば、ポールクランプでもよく、この技術分野の当業者に知られたそのような種類の留める機構で構成可能であり得る。
【００２０】
ここで説明されるケーブル・ハブ装置160の要素の具体的な物理的構成は、単に例示であり、単に例を提供し、本発明を限定しないことが認識されるべきである。明らかに、本発明の思想の範囲内の構成に調整が行われ得る。例えば、第１の代替えの実施形態において、押しボタン230は、第２の側面225の代わりに第１の側面210において提供されることが可能であり、第２の代替えの実施形態において、押しボタン230のアラーム消音ボタンは、省略されることが可能であり、第３の代替えの実施形態において、LEDインジケータ220は、省略されることが可能であり、第４の代替えの実施形態において、第４の側面245におけるHRS接続のために適合されたアナログ・センサ・コネクタ255は、省略されることが可能である。設計構成に基づいて、様々な接続、ボタン、インジケータが含まれ、または省略されてもよく、任意の側面および／または位置にあってもよいことが認識されるべきである。
【００２１】
図３を参照すると、ケーブル・ハブ装置160のための例示のハードウェア・アーキテクチャ300を図示する図が表されている。ハードウェア・アーキテクチャ300は、外部ハウジング161の内部に存在し得る。１つまたは複数のバス305は、電力を様々な構成要素に分配するとともに、ハードウェア構成要素の間で通信を容易にするために提供され得る。コントローラ310は、ケーブル・ハブ装置160の様々な構成要素の動作を制御および調整し得る。メモリ315は、以下でより詳細に説明されるように、揮発性部分および不揮発性部分を含むことが可能であり、患者関連データおよびセンサ関連データとともにケーブル・ハブ装置160のための動作コードを記憶することが可能である。
【００２２】
デジタル共通インタフェース320は、センサデータ線、電源、およびいくつかの実施形態において、ヒーター信号供給(表わされていない)を含み得る。前に説明されたように、共通インタフェース320を通して、ケーブル・ハブ装置160は、共通インタフェース・ケーブル175を用いて監視デバイス165に接続され得る。例として、共通インタフェース320のバス305を介したコントローラ310へのセンサデータ線の接続は、RS-485/UART(Universal Asynchronous Receiver/Transmitter)回路を用いて実現され得る。電源は、例えば、+/-12Vおよび+5V DC電圧を含み得る。
【００２３】
一実施形態において、共通インタフェース320は、また、コントローラ310および／またはデジタル信号を出力する生理学的センサの開始および／またはリセットを引き起こす信号を伝送する回路を含み得る。図２Ａおよび２Ｂのデジタル・センサ・コネクタ250に対応する複数のデジタル・センサ・インタフェース325が提供され得る。デジタル信号を出力する１つまたは複数のデジタル生理学的センサは、前に説明されたように、スマートケーブルのようなケーブルを介して、デジタル・センサ・インタフェース325を通して、ケーブル・ハブ装置160に接続され得る。共通インタフェース320からのヒーター信号は、ヒーター信号を要求するヒーターを含むセンサが接続され得る、複数のデジタル・センサ・インタフェース325のうちの１つにルーティングされ得る。バス305を介したコントローラ310からデジタル・センサ・インタフェース325へのデータ接続は、RS-485/UART回路を用いて実現されることが可能であり、+/-12Vおよび+5/VのDC電圧の形式の電力が、ケーブルを介して、接続されたセンサに電力を渡し得るデジタル・センサ・インタフェース325およびアナログ・センサ・インタフェース330に提供され得る。
【００２４】
図２Ａおよび２Ｂのアナログ・センサ・コネクタ240に対応する複数のアナログ・センサ・インタフェース(例えば、DPTインタフェース)330が提供され得る。例えば、１つまたは複数のDPTセンサ(または他の種類のアナログ生理学的センサ)は、ケーブルを介してアナログ・センサ・インタフェース330に接続され得る。例えば、バス305を介したアナログDPTインタフェース330からコントローラ310への接続は、１つまたは複数のアナログ・デジタル・コンバータ(ADC)(表わされていない)を用いて実現され得る。
【００２５】
コントローラ310がアナログDPTインタフェース330に接続されたDPTの接続／動作状態を判定することを可能にするために、追加の回路が提供され得る。複数のアナログDPTインタフェース330の各々について、図２Ａおよび２ＢのLEDインジケータ220を駆動するそれぞれのLEDドライバ335が提供されることが可能であり、押しボタン230のうちのゼロ合わせ押しボタンを押すことによって生成される信号を受信するそれぞれのゼロ合わせ入力チャネル340も提供され得る。
【００２６】
図２Ａおよび２ＢのHRS接続のために適合されたアナログ・センサ・コネクタ255に対応するHRSインタフェース345が提供され得る。DPTインタフェース330のそれらのように、バス305を介したHRSインタフェース345からコントローラ310への接続は、ADCを用いて実現され得る。上記で説明されたように、HRSは、患者の静脈静止軸に対するDPTの動きに関する使用誤りを減少させ得る。さらに、アラーム消音入力チャネル350は、押しボタン230のうちのアラーム消音ボタンを押すことによって生成される信号を受信するために提供され得る。
【００２７】
もちろん、図３に関するここでの説明は、例示であり、本発明を限定しない。ハードウェア・アーキテクチャ300は、本発明の思想の範囲内で調整され得る。例えば、図２Ａおよび２ＢのLEDインジケータ220が省略されるとき、LEDドライバ335も省略されることが可能であり、HRS接続のために適合されたアナログ・センサ・コネクタ255が省略されるとき、HRSインタフェース345も省略される、等である。
【００２８】
上記で説明されたように、メモリ315は、患者関連データおよびセンサ関連データを記憶し得る。データは、例えば、センサの初回使用日付、センサの最大寿命、一意の患者ID、患者人口統計データ、患者生理学的データ、注釈、および／または搬送フラグ、等を含み得る。従って、ケーブル・ハブ装置160は、メモリ310内に、患者人口統計データ、履歴生理学的データ、センサ情報、等を記憶し得る。メモリ310内に記憶されたデータは、現在接続されている監視デバイス165によって取得、使用、再使用、または編集され得る。センサが、それ自体がデータを記憶するスマートケーブルを用いてケーブル・ハブ装置160に接続されるとき、メモリ315は、スマートケーブル内に記憶されたデータのために、バッファ、バックアップ、または両方の組み合わせとして利用され得る。患者関連データおよびセンサ関連データは、共通インタフェース・ケーブル175を通してケーブル・ハブ装置に現在接続されている監視デバイス165によって取得され得る。データは、監視デバイス165において表示され、そうでなければ監視デバイス165によって利用され得る。さらに、メモリ315内に記憶された患者関連データおよびセンサ関連データは、監視デバイス165を通して編集され得る。
【００２９】
従って、本発明の実施形態によれば、ケーブル・ハブ回路は、ケーブルを介して患者についてのアナログ生理学的センサからのアナログ生理学的センサデータを受信するように構成された複数のアナログ・センサ・インタフェース330、およびケーブルを介して患者についてのデジタル生理学的センサからのデジタル生理学的センサデータを受信するように構成された複数のデジタル・センサ・インタフェース325を含む。さらに、コントローラ310は、受信された生理学的センサデータの収集を制御する。例えば、コントローラ310は、受信された生理学的センサデータの全てを適切にデジタル化されたフォーマットにひとまとめにし、デジタル共通インタフェース320を通して伝送を命じることが可能であり、デジタル共通インタフェース320は、ひとまとめにされたデータを単一の共通インタフェース・ケーブル175を通して患者監視デバイス165に伝達するように構成される。さらに、前に説明されたように、コントローラ310は、スマートケーブルおよび／または患者監視デバイス165からとともに生理学的センサデバイスからの、メモリ315内の受信された患者関連データおよびセンサ関連データの記憶を制御し得る。さらに、ケーブル・ハブのケーブル・ハブ回路は、監視デバイス165から単一の共通インタフェース・ケーブル175を介して電力が提供され得る。さらに、いくつかの実施形態において、電力は、また、ケーブル・ハブ装置を通して生理学的センサに提供され得る。
【００３０】
このようにして、ここに説明されたような、本発明の実施形態によれば、ケーブルの混乱は減少されることが可能であり、ケーブル・ハブ装置160の助けで患者の搬送が簡単にされる。患者が搬送されるとき、共通インタフェース・ケーブル175は、搬送前の場所で監視デバイス165から分離され得る。電力が監視デバイス165から共通インタフェース・ケーブル175を通して供給されるので、電源ケーブルの別々の扱いは必要でない。ケーブル・ハブ装置160は、患者ベッド内の患者と一緒に容易に搬送される。患者が目的地へ(例えば、ERからICUへ)搬送されるとき、共通インタフェース・ケーブル175は、給電される搬送後の場所において監視デバイス165に接続される。メモリ315内に記憶された患者関連データおよびセンサ関連データは、搬送の間、保護され、一旦、ケーブル・ハブ装置160が搬送後の場所で監視デバイス165に接続されると、使用および再使用のために利用可能である。言い換えると、ケーブル・ハブ装置160は、１つまたは複数の患者監視デバイス165の間で患者関連データおよびセンサ関連データの転送を容易にし得る。
【００３１】
ケーブルは、生理学的センサをケーブル・ハブ装置に、ケーブル・ハブ装置と監視デバイスの間で接続するとして説明されたが、いくつかの実施形態において、無線接続も利用され得ることが認識されるべきである。
【００３２】
前に説明された本発明の態様は、前に説明された、ケーブル・ハブ装置および患者監視デバイスのような、デバイスのプロセッサ(例えば、コントローラ)による命令の実行と併せて実現され得ることが認識されるべきである。プロセッサは、プログラム、ルーチン、または命令の実行の制御の下で動作して、本発明の実施形態による方法またはプロセスを実行し得る。例えば、そのようなプログラムは、ファームウェアまたは(例えば、メモリおよび／または他の場所に記憶される)ソフトウェアにおいて実現されてもよく、プロセッサおよび／または前に説明された他のデバイスの回路によって実現されてもよい。さらに、用語、プロセッサ、マイクロプロセッサ、回路、コントローラ、等は、ロジック、コマンド、命令、ソフトウェア、ファームウェア、機能、等を実行することが可能なあらゆる種類のロジックまたは回路を指すことが認識されるべきである。
【００３３】
ここで開示された実施形態と併せて説明された様々な例示の論理ブロック、モジュール、および回路は、汎用プロセッサ、マイクロプロセッサ、デジタル信号プロセッサ(DSP)、特定用途向け集積回路(ASIC)、フィールド・プログラマブル・ゲートアレイ(FPGA)、または他のプログラム可能な論理デバイス、別個のゲートまたはトランジスタロジック、別個のハードウェア構成要素、またはここで説明された機能を実行するように設計されたそれらのあらゆる組み合わせを用いて実現または実行され得る。プロセッサは、マイクロプロセッサ、またはあらゆる従来のプロセッサ、コントローラ、マイクロコントローラ、または状態機械であり得る。プロセッサは、また、コンピューティングデバイスの組み合わせ、例えば、DSPとマイクロプロセッサの組み合わせ、複数のマイクロプロセッサ、DSPコアを併せて１つまたは複数のマイクロプロセッサ、または他のあらゆるそのような構成として実現され得る。
【００３４】
ここで開示された実施形態と併せて説明された方法のステップまたはアルゴリズムは、直接にハードウェアにおいて、プロセッサによって実行されるソフトウェア／ファームウェアモジュールにおいて、またはその２つの組み合わせにおいて具現化され得る。データおよびモジュールを記憶するメモリは、RAMメモリ、フラッシュメモリ、ROMメモリ、EPROMメモリ、EEPROMメモリ、レジスタ、ハードディスク、取り外し可能なディスク、CD-ROM、またはこの技術分野で知られた他のあらゆる形式の記憶媒体を含み得る。例示の記憶媒体はプロセッサに結合され、そのようなプロセッサは記憶媒体から情報を読み取り、記憶媒体に情報を書き込むことができる。その代わりに、記憶媒体は、プロセッサに統合され得る。
【００３５】
開示された実施形態の前の説明は、この技術分野の当業者が本発明を作成または使用することを可能にするために提供される。これらの実施形態への様々な修正は、この技術分野の当業者に容易に明らかであり、ここに定義された一般原理は、本発明の思想または範囲から逸脱せずに他に実施形態に適用され得る。従って、本発明は、ここに表わされた実施形態に限定されることは意図しないが、ここに開示された原理および新規な特徴と一貫した最も広い範囲と一致すべきである。
【符号の説明】
【００３６】
100  知られた構成
101  改善された構成
105  IVポール
110  監視デバイス
115  接続付属品
120  IVバッグ
125  電源ユニット
130  センサ・ケーブル
133  追加ケーブル
135  麻酔装置
150  IPポール
155  IVバッグ
160  ケーブル・ハブ装置
161  外部ハウジング
165  監視デバイス
170  麻酔装置
175  単一の共通インタフェース・ケーブル
180  センサ・ケーブル
215  センサ・ホルダー
210  第１の側面
220  LEDインジケータ
225  第２の側面
230  押しボタン
235  第３の側面
240  アナログ・センサ・コネクタ／インタフェース
245  第４の側面
250  デジタル・センサ・コネクタ／インタフェース
255  アナログ・センサ・コネクタ
300  ハードウェア・アーキテクチャ
305  バス
310  コントローラ
315  メモリ
320  デジタル共通インタフェース
325  デジタル・センサ・インタフェース
330  アナログ・センサ・インタフェース
335  LEDドライバ
340  ゼロ合わせ入力チャネル
345  HRSインタフェース
350  アラーム消音入力チャネル
【図１Ａ】
2019503724.tif 000003
【図１Ｂ】
2019503724.tif 000004
【図２Ａ】
2019503724.tif 000005
【図２Ｂ】
2019503724.tif 000006
【図３】
2019503724.tif 000007
【国際調査報告】
2019503724.tif 000008
2019503724.tif 000009